(57)【要約】      （修正有）【課題】従来の防塵マスクではマスクを装着して隠れていない部分の顔の肌（皮膚）だけが溶接による紫外線で焼けて皮が剥けたり黒くなりマスクの跡が残り困っていた。しかも狭い場所での溶接作業はヒューム（煙）がひどく息をするのも苦しくフィルターもすぐに詰まり交換しなくてはいけないし作業の能率も落ちていた。【解決手段】防塵マスク本体２に薄いゴム１を取り付けて目から下の顔全体を溶接による紫外線から守る。そして３のフィルターケースの蓋に伸び縮みするホース４を取り付けることで狭い場所や密閉された場所で溶接作業してもヒューム（煙）吸わずに奇麗な空気を吸うことができる。しかもヒュームの少ない場所で作業する時は従来のホースの付いてないフィルターケースの蓋に取り替えて身軽に作業できる。【選択図】図１
0003126922.tif 000002
【実用新案登録請求の範囲】
【請求項１】
従来の防塵マスク本体に新案の厚さ１ｍｍ〜２ｍｍ〜の薄いゴムを取り付いたところを特徴とするゴム製溶接紫外線及びヒュームガード防塵マスク
【請求項２】
従来の防塵マスクのフィルターケースの蓋に伸び縮みするホースを取り付けたゴム製溶接紫外線及びヒュームガード防塵マスク。
【考案の詳細な説明】
【技術分野】
【０００１】本考案は、防塵マスクのゴム部分に薄いゴムを付けフィルターケースの蓋にホースを取り付けた防塵マスクに関するものである。
【背景技術】
【０００２】従来の防塵マスクでは溶接作業の時に防塵マスクをしてもマスク以外の露出した顔の肌が溶接の紫外線で焼けていた。それに溶接作業に出る体に悪いヒューム（煙）を吸っていた。
【考案の開示】
【考案が解決しようとする課題】
【０００３】遮光レンズ付溶接面を装着しているにも拘わらす防塵マスクをしてない部分の顔の肌だけが日焼けで皮が剥けたり色が黒くなり溶接工の皆さんの悩みの種でした。  特に女性の方は強く悩んでいる話を良く聞きます。  それと狭い場所を溶接するとヒューム（煙）で息が苦しくフィルターもすぐに詰まり困っていた。
【問題を解決するための手段】
【０００４】そこで防塵マスクの顔に触れるゴム部分の外側に薄いゴムを目から下の顔が隠れるように付けて溶接作業による紫外線から肌を守り日焼け（皮膚癌）を防ぐことができる。  それとフィルターケースの蓋にホースを取り付けることで溶接のヒュームを吸うことなく離れた場所の綺麗な空気が吸える。
【考案の効果】
【０００５】上述の様に、本考案のゴム製溶接紫外線及びヒュームガード防塵マスクは溶接作業による強い紫外線から顔の肌を守ることができる。しかも材質が薄いゴム製で柔らかいので溶接面を被ったり顔に押し付けたりしてもゴツゴツしたりせず痛くないし、いろいろな顔の形にも合います。  狭い場所での溶接でヒュームが多い時もフィルターケースの蓋に付けているホースをヒュームの少ない場所まで伸ばして奇麗な空気が吸える。（ホースは曲がるストローのように引っ張ると伸びる。）  ヒュームが少ない場所では従来の蓋に嵌めかえて身軽に作業できる。
【考案を実施するための最良の形態】
【０００６】本考案に係わるゴム製溶接紫外線及びヒュームガード防塵マスクは図１、図２で示すように防塵マスク２のゴムの部分の外側に１の薄いゴム製の厚さ１ｍｍ〜２ｍｍを接着剤又は高温で１と２を溶かしてつける。  そして３のフィルターケースの蓋の穴の部分に４の（伸び縮みできる）ホースを取り付ける。
【図面の簡単な説明】
【０００７】
【図１】本考案に係わるゴム製溶接紫外線及びヒュームガード防塵マスクを表面から見た図面である。
【図２】本考案に係わるゴム製溶接紫外線及びヒュームガード防塵マスクを裏面から見た図面である。
【図３】本考案に係わるゴム製溶接紫外線及びヒュームガード防塵マスクを装着して溶接作業している図面である。
【図４】本考案に係わるゴム製溶接紫外線及びヒュームガード防塵マスクを装着して密閉された場所で作業している図面である。
【符号の説明】
【０００８】１    新案の薄いゴム２    従来の防塵マスク３    フィルターケース４    伸び縮みするホース５    溶接のヒューム（煙）
【図１】
0003126922.tif 000003
【図２】
0003126922.tif 000004
【図３】
0003126922.tif 000005
【図４】
0003126922.tif 000006
【手続補正書】
【提出日】平成18年8月22日(2006.8.22)
【手続補正１】
【補正対象書類名】実用新案登録請求の範囲
【補正対象項目名】全文
【補正方法】変更
【補正の内容】
【実用新案登録請求の範囲】
【請求項１】
防塵マスク本体に厚さ１ｍｍ〜２ｍｍの薄いゴムを取り付いたことを特徴とする防塵マスク。
【請求項２】
フィルターケースの蓋に伸び縮みするホースを取り付けたことを特徴とする請求項１記載の防塵マスク。
【手続補正２】
【補正対象書類名】明細書
【補正対象項目名】全文
【補正方法】変更
【補正の内容】
【考案の詳細な説明】
【技術分野】
【０００１】本考案は、防塵マスクのゴム部分に薄いゴムを付け、さらにフィルターケースの蓋にホースを取り付けた防塵マスクに関するものである。
【背景技術】
【０００２】  従来の防塵マスクとしては、一般的に鼻と口を覆う構造のものである。
【考案の開示】
【考案が解決しようとする課題】
【０００３】上述のような従来の防塵マスクは、溶接作業の時に鼻と口を覆う以外の露出した顔の肌が、溶接時の紫外線で焼けるという問題点があった。また、溶接作業時に発生する体に悪いヒューム（煙）を吸うという問題点があった。
また、遮光レンズ付溶接面を装着して溶接作業をした場合にも、防塵マスクをしてない部分の顔の肌だけが日焼けで皮が剥けたり色が黒くなり溶接工の皆さんの悩みの種でした。特に女性の方は強く悩んでいる話を良く聞きます。  それと狭い場所を溶接するとヒューム（煙）で息が苦しくフィルターもすぐに詰まり困っていた。
【問題を解決するための手段】
【０００４】この考案の防塵マスクは、防塵マスク本体に厚さ１ｍｍ〜２ｍｍ〜の薄いゴムを取り付けるようにしたので、防塵マスクの顔に触れるゴム部分の両側に薄いゴムを取り付けて目から下の顔が隠れるようにして溶接作業による紫外線から肌を守り日焼け（皮膚癌）を防ぐことができる。
また、フィルターケースの蓋の穴（空気口）にホースを取り付けるようにしたので、溶接のヒュームを吸うことなく離れた場所の綺麗な空気が吸える。
【考案の効果】
【０００５】上述の様に、本考案の防塵マスクは、溶接作業による強い紫外線から顔の肌を守ることができる。しかも材質が薄いゴム製で柔らかいので溶接面を被ったり顔に押し付けたりしてもゴツゴツしたりせず痛くないし、いろいろな顔の形にも合います。  狭い場所での溶接でヒュームが多い時もフィルターケースの蓋に付けているホースをヒュームの少ない場所まで伸ばせば奇麗な空気が吸える。（ホースは曲がるストローのように引っ張ると伸びる。）  ヒュームが少ない場所では従来の蓋に嵌めかえて身軽に作業できる。
【考案を実施するための最良の形態】
【０００６】本考案に係わる防塵マスクは、図１、図２で示すように防塵マスク本体２のゴムの部分の両側に、薄いゴム製の厚さ１ｍｍ〜２ｍｍのゴムシート１を接着剤又は高温で溶かしてつける。  そして、フィルターケース３の蓋の穴の部分に伸び縮みできるホース４を取り付ける。【０００７】図３は本考案の防塵マスクを装着して溶接作業している状態を示す図面である。図４は本考案の防塵マスクを装着して密閉された場所で作業している図面である。
図において、５は溶接時に発生するヒューム（煙）である。この様な溶接作業状態において本考案の防塵マスクを使用すると、溶接のヒュームを吸うことなく離れた場所の綺麗な空気が吸うことができるので息苦しくなくなる。
【図面の簡単な説明】
【０００８】
【図１】本考案の一実施の形態を示す防塵マスクの正面斜視図である。
【図２】本考案の防塵マスクを示す裏面斜視図である。
【符号の説明】
【図３】
本考案の防塵マスクを装着して溶接作業している図面である。
【図４】
本考案の防塵マスクを装着して密閉された場所で作業している図面である。
【符号の説明】
【０００９】１  ゴムシート
２  防塵マスク本体
３  フィルターケース
４  ホース